(57)【要約】【課題】給水行程で洗濯物が浮力で浮き上がることを防止するとともに洗剤を十分に溶かすこともでき、早期に洗濯物が洗濯水に確実に十分漬かるようにでき、洗い効率を向上できる乾燥洗濯機を得る。【解決手段】第１の給水弁８ａを開弁し第１の給水ホース９ａに通水するとともに前記洗濯兼脱水槽４と回転翼５とを断続的に低速回転させる洗剤溶かし運転を実行し、所定水位に達したことを水位検知手段が検知したとき、第２の給水弁８ｂを開弁し第２の給水ホース９ｂに通水しながら洗剤溶かし運転を継続するように制御する。【選択図】        図１
2010046349.tif 000002
【特許請求の範囲】
【請求項１】
外箱内に水槽を揺動自在に配設し、この水槽内に底部に回転翼を設けた洗濯兼脱水槽を回転自在に配設し、前記洗濯兼脱水槽と回転翼を回転駆動する駆動装置を設け、洗濯兼脱水槽の上方に洗剤投入ケースを設け、給水手段と、洗濯兼脱水槽内の水位を検知する水位検知手段とを外箱内に設け、前記駆動装置と給水手段とを制御する制御手段を設けた洗濯乾燥機において、前記給水手段は、第１の給水弁に一端が接続されて洗剤投入ケースを経て他端が前記水槽と洗濯兼脱水槽との間に開口する第１の給水ホースと、第２の給水弁に一端が接続されて他端が洗濯兼脱水槽の上方に開口する第２の給水ホースで構成され、前記制御手段は、前記第１の給水弁を開弁し第１の給水ホースに通水するとともに前記洗濯兼脱水槽と回転翼とを断続的に低速回転させる洗剤溶かし運転を実行し、所定水位に達したことを前記水位検知手段が検知したとき、第２の給水弁を開弁し第２の給水ホースに通水しながら洗剤溶かし運転を継続するように制御することを特徴とする洗濯乾燥機。
【請求項２】
前記水槽および洗濯兼脱水槽を前方に傾斜させ、前記第１の給水ホースは洗剤投入ケースを経て先端が水槽と洗濯兼脱水槽との間の前方横底面に開口するとともに水槽の内壁に沿うように配設されることを特徴とする請求項１に記載の洗濯乾燥機。
【請求項３】
前記水位検知手段による水位検知は、前記洗濯兼脱水槽と回転翼とを断続的に低速回転させた後に洗濯兼脱水槽と回転翼が停止してから所定時間経過後に行うことを特徴とする請求項１記載の洗濯乾燥機。
【請求項４】
第２の給水ホースへの通水は、前記洗濯兼脱水槽の水位が回転翼の上面にまで到達したことを水位検知手段が検知したとき行うことを特徴とする請求項１記載の洗濯乾燥機。
【請求項５】
洗剤溶かし運転時の洗濯兼脱水槽の回転速度は、５０〜７０ｒｐｍに設定することを特徴とする請求項１記載の洗濯乾燥機。
【請求項６】
洗剤溶かし運転時における洗濯兼脱水槽の回転方向は、正転・逆回転の繰り返しとすることを特徴とする請求項１記載の洗濯乾燥機。
【請求項７】
前記第２の給水ホースの開口端にシャワー状に散水するノズルを取り付けたことを特徴とする請求項１記載の洗濯乾燥機。
【請求項８】
前記第２の給水ホースの開口端にミスト状に散水するノズルを取り付けたことを特徴とする請求項１記載の洗濯乾燥機。
【請求項９】
前記第２の給水ホースの開口端に泡沫状に散水するノズルを取り付けたことを特徴とする請求項１記載の洗濯乾燥機。
【発明の詳細な説明】
【技術分野】
【０００１】
本発明は、洗濯乾燥機に関するものである。
【背景技術】
【０００２】
洗濯乾燥機は、周知のように例えば外箱内に防振機構を介して水槽を揺動自在に配設し、この水槽内に底部に回転翼を有する洗濯兼脱水槽を回転自在に配設し、水槽の下方にクラッチやモータを備え回転翼や洗濯兼脱水槽を回転させる駆動装置を配設し、また、洗濯兼脱水槽の上方には給水弁に接続された給水ホースや洗剤投入ケースが配設されている。
【０００３】
洗濯を開始するには、洗剤を溶かす必要があるが、少ない洗濯水で高い洗浄力を得るようにしたものとして、例えば特許文献１がある。
【０００４】
これは、底部の洗い水の水位が回転翼の底面位置となるように給水機構を制御し、回転翼の底面以下の量の洗剤溶かし水による高洗剤濃度の洗い水を回転翼上の洗濯物に上から振掛けるにして前洗いを実行するものである。
【特許文献１】特許第４０２９８４５号公報
【発明の開示】
【発明が解決しようとする課題】
【０００５】
前記従来技術は、高洗剤濃度の洗い水で前洗いを実行する際、洗濯物の上方から少ない量の洗い水を振り掛けているため、洗濯物の量によっては少ない洗濯水では洗濯物が浮力で浮き上がり洗濯水に十分に漬からないことも考えられ、その後の給水行程で水を補給しても洗濯物が洗濯水に漬かるまでに時間を要する。
【０００６】
本発明は前記従来例の不都合を解消するものとして、給水行程で洗濯物が浮力で浮き上がることを防止するとともに洗剤を十分に溶かすこともでき、早期に洗濯物が洗濯水に確実に十分漬かるようにでき、洗い効率を向上できる乾燥洗濯機を提供するものである。
【課題を解決するための手段】
【０００７】
請求項１記載の発明は、外箱内に水槽を揺動自在に配設し、この水槽内に底部に回転翼を設けた洗濯兼脱水槽を回転自在に配設し、前記洗濯兼脱水槽と回転翼を回転駆動する駆動装置を設け、洗濯兼脱水槽の上方に洗剤投入ケースを設け、給水手段と、洗濯兼脱水槽内の水位を検知する水位検知手段とを外箱内に設け、前記駆動装置と給水手段とを制御する制御手段を設けた洗濯乾燥機において、前記給水手段は、第１の給水弁に一端が接続されて洗剤投入ケースを経て他端が前記水槽と洗濯兼脱水槽との間に開口する第１の給水ホースと、第２の給水弁に一端が接続されて他端が洗濯兼脱水槽の上方に開口する第２の給水ホースで構成され、前記制御手段は、前記第１の給水弁を開弁し第１の給水ホースに通水するとともに前記洗濯兼脱水槽と回転翼とを断続的に低速回転させる洗剤溶かし運転を実行し、所定水位に達したことを前記水位検知手段が検知したとき、第２の給水弁を開弁し第２の給水ホースに通水しながら洗剤溶かし運転を継続するように制御することを要旨とするものである。
【発明の効果】
【０００８】
以上述べたように本発明の洗濯乾燥機は、洗剤を効率的に溶かすことができるだけでなく、洗濯物の上に上方から水をかけることにより水位の上昇に伴い洗濯物が浮き上がることを防止すると同時に、洗濯物を濡らすことにより洗濯液中に沈めることができ、給水終了後の回転翼の回転による機械力を洗濯物に効率的に伝達でき洗浄力がアップする。
【発明を実施するための最良の形態】
【０００９】
以下、図面について本発明の実施形態を詳細に説明する。図１は本発明の洗濯乾燥機の第１実施形態を示す縦断側面図で、洗濯乾燥機の全体構成から説明する。
【００１０】
外箱１内に防振機構２を介して水槽３を揺動自在に配設し、この水槽３内に底部に回転翼５を設けた洗濯兼脱水槽４を回転自在に配設し、水槽３の下方にモータ６ａやクラッチ６ｂなどによる駆動装置６を配設し、洗濯兼脱水槽４の上方には洗剤投入ケース７が配設される。
【００１１】
給水手段として、水道栓に直結する給水管の先端に第１の給水弁８ａを介して第１の給水ホース９ａを接続する。この第１の給水ホース９ａは、途中が前記洗剤投入ケース７内を通り、さらに洗濯兼脱水槽４と水槽３との間の隙間に入り、先端が前記隙間内の下方、すなわち水槽３の底部近傍に開口する。
【００１２】
前記給水管の先端に第２の給水弁８ｂを介して第２の給水ホース９ｂを接続する。この第２の給水ホース９ｂは、先端が洗濯兼脱水槽４の上部開口に開口する。
【００１３】
乾燥手段として洗濯兼脱水槽４と水槽３とで循環風路１１を形成し、循環風路１１の上部に連続する循環伸縮風路１２の下流側に送風ファン１３とヒータ１４などの加熱手段とを配設する。
【００１４】
乾燥行程で除湿するための除湿手段として第１、第２の給水弁８ａ、８ｂに並べて第３の給水弁８ｃを設け、この第３の給水弁８ｃに接続する除湿水を給水するための第３の給水ホース９ｃを循環風路１１に開口する。
【００１５】
水槽３の下方には排水口を設け、この排水口には排水弁１５を介して排水ホース１６が接続される。
【００１６】
また、図３に示すように、洗濯兼脱水槽４内の水位を検知する水位検知手段である水位センサ１７を設ける。水位センサ１７は、水槽３の底部に開口する導圧チューブ１８の先端に配設され、洗濯兼脱水槽４および水槽３内の水位上昇に伴う圧力変化に基づいて水位を検出する。
【００１７】
図４は制御ブロック図で、制御装置１０の出力側に第１の給水弁８ａ、第２の給水弁８ｂ、第３の給水弁８ｃ、排水弁１５、送風ファン１３、ヒータ１４、モータ６ａ、クラッチ６ｂと、表示ユニット２２が接続され、入力側に水位センサ１７、温度センサ１９、振動センサ２０、操作スイッチ２２が接続される。
【００１８】
かかる洗濯乾燥機の洗濯行程の基本動作を図５のフローチャートについて説明する。操作スイッチ２２などで初期設定した後（ステップ１０１）、洗濯兼脱水槽４に投入された洗濯物の負荷量を判定し（ステップ１０２）、この負荷量に基づいた量が給水される（ステップ１０３）。
【００１９】
そして、回転翼５が回転して洗い行程が開始し（ステップ１０４）、所定時間経過後、排水してから（ステップ１０５）回転翼５と洗濯兼脱水槽４とが回転して中間脱水行程に移行し（ステップ１０６）、さらにシャワー濯ぎ（ステップ１０７）、中間脱水（ステップ１０８）と進行した後、再度給水し（ステップ１０９）、溜め濯ぎ（ステップ１１０）、排水（ステップ１１１）と進行し、最終脱水（ステップ１１２）で全ての行程が終了する。
【００２０】
前記行程のうち、最初の給水行程には、洗剤溶かし行程が含まれる。これは、図６のフローチャートに示すように、制御装置１０からの出力でまず第１の給水弁８ａを開弁し（ステップ１）、第１の給水ホース９ａに通水する。これにより洗剤投入ケース７に給水され、洗剤が混入した水が洗濯兼脱水槽４と水槽３との隙間に流入し、この隙間の下方、水槽３の底部３ａに流れ込む。
【００２１】
この状態で洗濯兼脱水槽４と回転翼５とを低速回転で断続的に回転させる（ステップ２）。これにより、洗剤が水に溶かされる。洗濯兼脱水槽４と回転翼５の低速回転は、これを共振回転数である１００ｒｐｍを避けて例えば５０〜７０ｒｐｍに設定し、また、回転方向も正転・逆回転の繰り返しとすることで、より効率よく洗剤を溶かすことができる。
【００２２】
回転開始後、所定時間Ｔ１が経過したならば（ステップ３）、洗濯兼脱水槽４と回転翼５の回転を停止する（ステップ４）。
【００２３】
その後、さらに所定時間Ｔ２が経過してから（ステップ５）、水位センサ１７で水位が検知される。ここで水位センサ１７による水位検知を洗濯兼脱水槽４と回転翼５の停止直後または回転中としなかったのは、洗濯兼脱水槽４や回転翼５が回転している間は、遠心力により回転翼５の上の水位が上昇して正確に水位が検出できないためである。
【００２４】
このようにして第１の給水ホース９ａから洗濯兼脱水槽４と水槽３との間に給水しながらの、洗濯兼脱水槽４と回転翼５との低速回転による洗剤溶かしが実行され、そして、水位センサ１７で検知された水位が所定水位Ｈ１、例えば回転翼５の上面にまで達していれば（ステップ６）、第２の給水弁８ｂを開いて第２の給水ホース９ｂに通水し、回転翼５の上の洗濯物に対して上方から、すなわち洗濯兼脱水槽４の上部開口からさらに水をかける（ステップ７）。
【００２５】
同時に洗濯兼脱水槽４と回転翼５とを低速回転し（ステップ８）、所定時間Ｔ１経過後に（ステップ９）に洗濯兼脱水槽４と回転翼５の低速回転を停止する（ステップ１０）。
【００２６】
その後、さらに所定時間Ｔ２経過後に（ステップ１１）、水位センサ１７で検知される水位が所定水位Ｈ２に達していれば（ステップ１２）、第１と第２の給水弁８ａ，８ｂを閉じて給水が終了する（ステップ１３）。
【００２７】
これにより、水位の上昇に伴い洗濯物が浮き上がることを防止できると同時に、洗濯物を湿らすことにより洗濯液中に洗濯物を沈めることができ、給水終了後の回転翼５の回転による機械力を洗濯物に効率的に伝達でき、高い洗浄力が得られる。
【００２８】
図２は第２実施形態を示し、洗濯乾燥機のタイプとして、洗濯兼脱水槽４と水槽３を外箱１内で前方に傾斜させたものの場合、洗剤投入ケース７から引き出された第１の給水ホース９ａを、洗濯兼脱水槽４と水槽３との隙間では水槽３の内壁に沿うように配設し、先端を水槽３の底部３ａ近傍に開口した。
【００２９】
よって、第１の給水ホース９ａからの給水は、水槽３の傾斜にそってスムーズに流れ、底部３ａの前部に溜まる水で効率よく洗剤が溶かされる。
【００３０】
なお、第１、第２実施形態ともに、第２の給水ホース９ｂの先端開口に洗濯物に水が沁みこみやすくするためのノズルを取付けることができる。図７はノズルの第１例を示し、これは水をシャワー状に散水するシャワーノズル２３で、ノズル本体の基部に第２の給水ホース９ｂに連結される給水口２３ａを設け、先端に複数の小孔２３ｂを形成した。
【００３１】
図８はノズルの第２例を示し、水をミスト状に散水するミストノズル２４で、給水ホース９ｂに連結される給水口２４ａをノズル本体の側部から側方に突出させ、ノズル本体に形成される吐出口２４ｂを先端が広がるラッパ状に形成し、給水をミスト状に広がるようにした。
【００３２】
図９はノズルの第３例を示し、水を泡沫状に散水する泡沫水ノズル２５で、図９ａのＡ−Ａ線断面図である図９ｂに示すように給水ホース９ｂに連結される給水口２５ａをノズル本体の側部から側方に突出させる。
【００３３】
また、散水口２５ｂは、図９ａのＢ−Ｂ線断面図である図９ｃに示すように細長幅広の開口を櫛の歯状に区画して一箇所に水が集まらないような形状にし、さらに、ノズル本体の側壁に吸気スリット２５ｃを形成する。これにより、吸気スリット２５ｃから吸い込まれた空気が、散水口２５ｂから吐出される水に混入することで、空気が含まれた泡沫状の吐出水が散水口２５ｂから散水される。
【図面の簡単な説明】
【００３４】
【図１】本発明の洗濯乾燥機の第１実施形態を示す縦断側面図である。
【図２】本発明の洗濯乾燥機の第２実施形態を示す縦断側面図である。
【図３】本発明の洗濯乾燥機の実施形態を示す水位センサの説明図である。
【図４】本発明の洗濯乾燥機の実施形態を示す制御ブロック図である。
【図５】本発明の洗濯乾燥機の実施形態を示す洗濯行程の動作のフローチャートである。
【図６】本発明の洗濯乾燥機の実施形態を示す洗剤溶かし行程の動作のフローチャートである。
【図７】本発明の洗濯乾燥機の実施形態を示す散水ノズルの第１例の説明図である。
【図８】本発明の洗濯乾燥機の実施形態を示す散水ノズルの第２例の説明図である。
【図９】本発明の洗濯乾燥機の実施形態を示す散水ノズルの第３例の説明図である。
【符号の説明】
【００３５】
１  外箱                        ２  防振機構
３  水槽                        ３ａ  底部
４  洗濯兼脱水槽                ５  回転翼
６  駆動装置
６ａ  モータ                    ６ｂ  クラッチ
７  洗剤投入ケース
８ａ  第１の給水弁              ８ｂ  第２の給水弁
８ｃ  第３の給水弁
９ａ  第１の給水ホース          ９ｂ  第２の給水ホース
９ｃ  第３の給水ホース
１０  制御装置                  １１  循環風路
１２  伸縮循環風路              １３  送風ファン
１４  ヒータ                    １５  排水弁
１６  排水ホース                １７  水位センサ
１８  導圧チューブ              １９  温度センサ
２０  振動センサ                ２１  操作スイッチ
２２  表示ユニット              ２３  シャワーノズル
２３ａ  給水口                  ２３ｂ  小孔
２４  ミストノズル              ２４ａ  給水口
２４ｂ  吐出口                  ２５  泡沫水ノズル
２５ａ  給水口                  ２５ｂ  散水口
２５ｃ  吸気スリット
【図１】
2010046349.tif 000003
【図２】
2010046349.tif 000004
【図３】
2010046349.tif 000005
【図４】
2010046349.tif 000006
【図５】
2010046349.tif 000007
【図６】
2010046349.tif 000008
【図７】
2010046349.tif 000009
【図８】
2010046349.tif 000010
【図９】
2010046349.tif 000011